(57)【要約】本発明は、静的な漫画の機能に動的なアニメーションの機能を加えることにより、モバイル端末機上で漫画アニメーションを具現する方法を提供する。本発明によれば、通常はモバイル端末機に容量の少ない静止画像を提供し、ユーザが要請する場合に、さらにその静止画像に相当する動画像を提供することにより、一挙に大容量のイメージデータを伝送しなくても、まるでアニメーション画像を見るかのような効果を得ることができる。
2008515045.tif 000002
【特許請求の範囲】
【請求項１】
イメージ情報を持つ静的フレームデータ、および前記静的フレームデータに 連係されてプレイ(play)単位でイメージ情報を持つ動的フレームデータからなる画像データと、前記動的フレームデータに相応する音響データとが記録、格納されたメモリを含むサーバ、移動通信網、および前記サーバと前記移動通信網を介して接続されたモバイル端末機を用いて、モバイル端末機上で漫画アニメーションを具現する方法であって、
（ａ）前記サーバから前記静的フレームデータを抽出する段階と、
（ｂ）前記抽出された静的フレームデータをフレームに配列して漫画単位ページを形成し、これを前記モバイル端末機へ伝送する段階と、
（ｃ）前記サーバから前記漫画単位ページの１フレームに該当する動的フレームデータをプレイ単位で抽出する段階と、
（ｄ）前記サーバから前記動的フレームデータに相応する音響データを抽出する段階と、
（ｅ）前記抽出された動的フレームデータと音響データとを前記モバイル端末機へ連続的に伝送する段階とを含むことを特徴とする、モバイル端末機上における漫画アニメーション具現方法。
【請求項２】
前記段階（ｃ）は、前記モバイル端末機から前記サーバへの信号入力がある場合に行われることを特徴とする、請求項１に記載のモバイル端末機上における漫画アニメーション具現方法。
【請求項３】
前記信号入力は、ユーザが前記漫画単位ページの１フレームを選択することにより行われることを特徴とする、請求項２に記載のモバイル端末機上における漫画アニメーション具現方法。
【請求項４】
前記段階は漫画単位ページの一番目のフレームから自動的に実行され、もし最終目のフレームまで実行されなかったと判断されれば、前記段階（ａ）に復帰して次のフレームに対しても同一の過程が繰り返し行われることを特徴とする、請求項１に記載のモバイル端末機上における漫画アニメーション具現方法。
【請求項５】
前記静的フレームデータは、フレームの位置と大きさに対するフレーム配列情報を含み、そのフレーム配列情報に基づいて漫画単位ページを形成することを特徴とする、請求項１に記載のモバイル端末機上における漫画アニメーション具現方法。
【発明の詳細な説明】
【技術分野】
【０００１】
本発明は、モバイル端末機上における漫画アニメーション具現方法に係り、さらに詳しくは、静止画像と動画像の組み合わせで漫画に生動感を与えることにより、モバイル端末機上で漫画アニメーションを具現する方法に関する。
【背景技術】
【０００２】
一般に、「漫画」は、対象の性格を誇張または省略してユーモラスで簡明に人生や社会を風刺・批判した絵であって、その中でも、４カット以上の絵が連結されてストーリーが展開されるコミックス(comics)または劇画は昔から大衆的な人気を博している。このような漫画は、大抵、作家がペンなどで描いた原画を印刷紙に複写印刷してこれを製本することにより、書籍の形である漫画本として流通する。漫画本は静的な概念である。よって、この漫画本を接する読者は、静的なイメージの中で対話と地文などによってストーリーを頭の中で連結し、それにより登場人物の動的な行動を類推するしかない。
最近、インターネット媒体の飛躍的な増加と普及に伴い、漫画を提供する多数のサイトが登場しているが、これらのサイトも、漫画本を単純に平面的にスキャニングし、これをイメージとして提供するに止まっている。
【０００３】
前記漫画と対比される概念として、登場人物がダイナミック且つ事実的に動くいわゆるアニメーションがあるが、このようなアニメーションは、映画の原理を利用したものであって、それぞれの場面ごとに描かれた原画を一々カメラで撮影し、これをフィルム化した後、秒当たり２４カット以上となるように場面を連結させると、登場人物がまるで生きているかの如く表現されるものである。
【発明の開示】
【発明が解決しようとする課題】
【０００４】
現在、インターネットやその他のＣＤ−ＲＯＭなどを介して提供または販売されているものは、前述した静的な漫画であるか、それとも動的なアニメーションである。前記漫画は、製作が簡便でデータの容量が少なくて記録および格納も容易であるが、生動感を表現することができないという欠点があり、これに対し、前記アニメーションは、生動感を事実的に表現することができるという利点を持つが、製作に莫大なコスト、努力および時間がかかるうえ、データの容量も非常に大きいため、インターネットを介して提供する場合に長時間ダウンロードしなければならないなど、ネットワークまたは記録媒体を介して提供するのに多くの困難さがある。特に、最近、移動通信の発展と普及に伴い、漫画は益々モバイルコンテンツの一部分として大きい領域を占めていく、と思われる。ところが、前述したように大容量のアニメーションデータを移動通信網を介して伝送することは、事業者および利用者の両方にとって大きい負担となるはずである。
【課題を解決するための手段】
【０００５】
本発明は、かかる問題点を解決するためのもので、その目的とするところは、静的な漫画の機能に動的なアニメーションの機能を加えることにより、モバイル端末機上で漫画アニメーションを具現する方法を提供することにある。
本発明の他の目的は、通常はモバイル端末機に容量の少ない静止画像を提供し、ユーザが要請する場合、さらにその静止画像に相当する動画像を提供することにより、一挙に大容量のイメージデータを伝送しなくても、まるでアニメーション画像を見るかのような効果を得ることができる、モバイル端末機上における漫画アニメーション具現方法を提供することにある。
【発明の効果】
【０００６】
本発明のモバイル端末機上における漫画アニメーション具現方法によれば、静的フレームからなる漫画ページを提供することにより、利用者は漫画を見る効果を得るとともに、利用者の所望する漫画カット、すなわちフレームに相当する動的画像と音響も共に提供することにより、生動感のある漫画アニメーションを楽しむことができる。
また、本発明によれば、静的フレームからなる少量のイメージデータをまず提供し、利用者の入力信号に基づいて、相当する一部の動的画像を提供するので、モバイル端末機を介して漫画アニメーションを効果的に提供することができるという利点がある。
【発明を実施するための最良の形態】
【０００７】
上記目的を達成するために、本発明は、イメージ情報を持つ静的フレームデータ、および前記静的フレームデータに連係されてプレイ(play)単位でイメージ情報を持つ動的フレームデータからなる画像データと、前記動的フレームデータに相応する音響データとが記録、格納されたメモリを含むサーバ、移動通信網、および前記サーバと前記移動通信網を介して接続されたモバイル端末機を用いて、モバイル端末機上で漫画アニメーションを具現する方法であって、（ａ）前記サーバから前記静的フレームデータを抽出する段階と、（ｂ）前記抽出された静的フレームデータをフレームに配列して漫画単位ページを形成し、これを前記モバイル端末機へ伝送する段階と、（ｃ）前記サーバから前記漫画単位ページの１フレームに該当する動的フレームデータをプレイ単位で抽出する段階と、（ｄ）前記サーバから前記動的フレームデータに相応する音響データを抽出する段階と、（ｅ）前記抽出された動的フレームデータと音響データとを前記モバイル端末機へ連続的に伝送する段階とを含む、モバイル端末機上における漫画アニメーション具現方法を提供する。  
【０００８】
好ましくは、前記段階（ｃ）は、前記モバイル端末機から前記サーバへの信号入力がある場合に行われる。
さらに好ましくは、前記信号入力は、ユーザが前記漫画単位ページの１フレームを選択することにより行われる。
【０００９】
好ましくは、前記段階は漫画単位ページの一番目のフレームから自動的に実行され、もし最終目のフレームまで実行されなかったと判断されれば、前記段階（ａ）に復帰して次のフレームに対しても同一の過程が繰り返し行われる。
【００１０】
本発明によれば、前記静的フレームデータは、フレームの位置と大きさに対するフレーム配列情報を含み、そのフレーム配列情報に基づいて漫画単位ページを形成する。
【実施例】
【００１１】
以下、添付図面を参照しながら、本発明の好適な実施例に係るモバイル端末機上における漫画アニメーション具現方法を詳細に説明する。これに先立ち、本明細書および請求の範囲に使用された用語または単語は、通常的または辞典的な意味に限定して解釈されてはならず、発明者は自分の発明を最善の方法で説明するために用語の概念を定義することができるという原則に立脚し、本発明の技術的思想に符合する意味と概念で解釈されるべきである。したがって、本明細書に記載された実施例と図面に示された構成は、本発明の最も好適な一実施例に過ぎないもので、本発明の技術的思想を全て代弁するものではないので、本出願時点において、これらに代替し得る様々な均等物と変形例がありうることを理解すべきである。
【００１２】
図１には、本発明に係るモバイル端末機上における漫画アニメーション具現方法を実行するためのシステムの概略構成が示されている。図１に示すように、本発明に係る漫画アニメーションサービスを提供するサーバ１と、前記提供される漫画アニメーションデータを受信して表示するモバイル端末機２とは、移動通信網３を介して相互接続されている。
前記移動通信網３の具体的な接続構成は公知の通りなので、本明細書ではその詳細な説明は省略する。
【００１３】
図２には、前記サーバ２の構成が概略的に示されている。
図２を参照すると、主制御部ＣＰＵ１０は、ハードウェアの各部を制御すると同時に、プログラム（図示せず）によって漫画アニメーションを具現して提供する。前記主制御部１０は、入出力インターフェース２０を介して、例えばマウスやキーボードなどの入力装置３０、ＬＣＤやＣＲＴなどの表示装置４０、および送受信装置５０とそれぞれ接続、連動する。
【００１４】
また、前記主制御部１０と連動するメモリ６０は、ＲＯＭ、ＤＲＡＭ、ＳＤＲＡＭ、ＥＰＲＯＭだけでなく、ＣＤ−ＲＯＭなどの記録媒体を含む概念である。前記メモリ６０には漫画アニメーション実行データが記録、格納される。このような漫画アニメーション実行データは画像データ１００と音響データ２００に分けられる。前記画像データ１００は本発明に係る漫画アニメーションのイメージデータであり、前記音響データ２００は漫画アニメーションに対応する音声または効果音データである。
【００１５】
前記送受信装置５０は、移動通信網３と物理的に接続され、入出力インターフェース２０で移動通信規約に基づいて適切に処理されたデータを移動通信網３を介してモバイル端末機２へ伝送する。
図３には、画像データ１００の例が示されている。図３を参照すると、前記画像データ１００は複数のページデータ１１０からなるが、各ページは、例えば漫画本の１ページ（以下、「漫画単位ページ」という）に該当するものであって、モバイル端末機２の画面を介して利用者に提供される単位画面に該当する概念である。
【００１６】
前記それぞれのページデータ１１０は複数のフレームデータ１２０からなる。このフレームデータ１２０は漫画の１カットに相当するものである。各フレームデータ１２０はそれぞれ異なる漫画画像イメージデータを持つ。好ましくは、前記フレームデータ１２０は、まるで映画のフィルムの如くそれぞれ異なる画像を持つが、連続的に処理される場合、アニメーションのような動画像を演出し得るように構成される。
【００１７】
前記フレームデータ１２０は、静的フレームデータ１３０と動的フレームデータ１４０に区別される。前記静的フレームデータ１３０は、モバイル端末機２の画面を介して出力される漫画単位ページを構成するデータである。それぞれの静的フレームデータ１３０が、まるで漫画本の１ページを構成するかのように相互結合する。
【００１８】
前記静的フレームデータ１３０は、例えば、ページ位置情報領域１３１、フレーム配列情報領域１３２およびイメージ情報領域１３３を持つことができるが、前記ページ位置情報領域１３１は、フレームの属する漫画単位ページ情報を含んでおり、前記フレーム配列情報領域１３２は、漫画単位ページを構成するために静的フレームがどの位置にどれほどの大きさで配列されるべきであるかなどのフレーム位置と大きさ情報などに関するものである。
【００１９】
前記それぞれの静的フレームデータ１３０は、それに連結される画像イメージからなる動的フレームデータ１４０を持つ。前記動的フレームデータ１４０は、ユーザに１フレームずつ提供されるものではなく、プレイ(play)単位で提供されるが、例えば、静的フレーム１に対しては動的フレーム１．１〜１．３（ｐｌａｙ１）が提供され、静的フレーム２に対しては動的フレーム２．１〜２．３（ｐｌａｙ２）が提供され、静的フレーム３に対しては動的フレーム３．１〜３．３（ｐｌａｙ３）が提供され、静的フレーム４に対しては動的フレーム４．１〜４．３（ｐｌａｙ４）が提供される。
【００２０】
このような動的フレームデータ１４０は、それの属する静的フレームとフレーム実行順序などに対する情報を含んでいるフレーム位置情報領域１４１と、漫画画像であるイメージ情報領域１４２を含むことができる。
【００２１】
以下、本明細書および特許請求の範囲では、別途の追加的な定義なしに、前述のような概念で定義されたページデータ、フレームデータ、静的フレームデータおよび動的フレームデータが使用される。
また、本実施例において、前記静的フレームデータ１３０と動的フレームデータ１４０が区分されて説明されたが、本発明は、このようなデータの区分に限定されない。その代案として、前記フレームデータは一連の連続的な画像イメージを持っているデータになり、その中でも任意の静的フレームデータが選択され、その選択された静的フレームデータに連結される残りのフレームが動的フレームデータになってもよい。
【００２２】
次に、前述したようなフレームデータによって本発明の好適な実施例に係るモバイル端末機上で漫画アニメーション画面を構成する方法について説明する。
【００２３】
静的フレームによる漫画単位ページの具現
図４には、本発明によって静的フレームデータから漫画画面を構成する例が示されている。図４において、参照番号３００は、モバイル端末機２の画面に出力される漫画単位ページであって、例えば漫画本の１ページを示す。前記漫画単位ページ３００はさらに多数のフレームに分けられるが、図４では４つのフレームが例示されている（アラビア数字１〜４で表示される）。それぞれのフレームは、漫画の１カットに該当するものであって、それぞれ対応する静的フレームデータで充填される。
【００２４】
具体的に、フレームデータ（１２０）列の静的フレームデータ（１３０）１、２、３、４は、漫画単位ページのフレーム１、２、３、４にそれぞれ対応する。すなわち、静的フレームデータ１３０にあるそれぞれのイメージ１３０ａ、１３０ｂ、１３０ｃ、１３０ｄが抽出され、フレーム１、２、３、４に対応するように組み合わせられることにより、単位ページを構成する。この際、各イメージ１３０ａ、１３０ｂ、１３０ｃ、１３０ｄの位置と配列は、フレーム配列情報１３２に基づいて行われる。
【００２５】
動的フレームによるアニメーションの具現
図５には、本発明の好適な実施例に係る動的フレームデータによるアニメーションを具現する過程が概略的に示されている。動的フレームデータ１４０は、任意の実行信号が入力されるときに提供される。例えば、図４に示した漫画単位ページをモバイル端末機２を介して接した利用者が、所望のフレーム、例えばフレーム１を選択すると、静的フレームデータ１に連結される動的フレームデータ（ｐｌａｙ１）を連続して出力する。すなわち、図５に示したそれぞれの動的フレームデータ１４０のイメージ１４０ａ、１４０ｂ、１４０ｃを順次出力することにより、漫画単位ページ３００ａ、３００ｂ、３００ｃを構成すると同時に、これに対応する音響データ２００を抽出して伝送する。これにより、利用者は、まるで漫画の登場人物が生きて動くかのようなアニメーションを楽しむことができる。
【００２６】
利用者の要請によるアニメーションの具現
図６には、モバイル端末機を用いて漫画アニメーションを具現する方法が例示されている。本発明に係る漫画アニメーションを、サービスを受けるに先立ち、ユーザはモバイル端末機２を用いて移動通信網３を介してサーバ１に接続する。例えば、ユーザは、移動通信サービス提供業者提供のディレクトリメニューを用いて前記サーバ１に接続することもできる。
次に、サーバ１に対する接続が完了し、ユーザが漫画サービスを選択すると、サーバ１の主制御部１０は所定のプログラムによって漫画アニメーションの初期画面を抽出してモバイル端末機２へ伝送する。
【００２７】
このような初期画面は、上演される漫画アニメーションの紹介を始めとして、所望のページを検索し得るようにする検索メニューを提供することもできる。
ユーザが所望のページを選択すると（段階Ｓ４００）、主制御部１０は、画像データ（図２の１００）の該当するページデータ（図３の１１０）を検索し、それらから静的フレームデータ１３０を抽出する（段階Ｓ４１０）。
【００２８】
前述したように、前記抽出された静的フレームデータ１３０は、さらにフレーム配列情報１３２に基づいて適切な位置と大きさに配列されることにより、漫画単位ページ（図４の３００）を構成し、これは、入出力インターフェース２０で適切な通信規約信号で処理された後、送受信装置５０によってモバイル端末機２に伝送される（段階Ｓ４２０）。これにより、ユーザはモバイル端末機２の画面を介して静的な漫画の１ページの画像を見る。
【００２９】
この状態で、もしユーザが他のページへの変更を所望すると、選択されたページに応じてさらに前記段階Ｓ４００に復帰し、そうでなければ、段階Ｓ４４０に進む（段階Ｓ４３０）。ユーザは、矢印またはその他のメニューボタンを用いてページを選択することもできる。
【００３０】
段階Ｓ４４０では、漫画アニメーションの視聴を終了するか否かを判断し、もしユーザが終了を選択すると、プログラムを終了し、そうではなければ、段階Ｓ４５０に進む。
段階Ｓ４５０では、漫画単位ページ３００に接したユーザが所望のフレームを選択するが、例えば、利用者は、フレームに表記された番号に該当するボタンを押すか、それとも、矢印ボタンを用いて所望のフレームを選択することができる。
【００３１】
前記フレーム選択信号は、さらに移動通信網３を経由してサーバ１に伝送される。すると、主制御部１０は、ユーザ選択のフレームに該当する動的フレームデータ１４０を抽出する（段階Ｓ４６０）とともに、その動的フレームデータに相応する音響データ２００を抽出する（段階Ｓ４７０）。このように抽出された動的フレームデータ１４０と音響データ２００は、連続して前記モバイル端末機２に伝送されることにより、動画像アニメーションを具現し、前記音響データ２００は、モバイル端末機２に備えられたスピーカを介して出力される（段階Ｓ４８０）。したがって、利用者は、まるで漫画映画を見るかのごとく、視覚的なアニメーションと聴覚的な効果音の両方ともを楽しむことができる。
【００３２】
この際、選択されたフレームに対するプレイ（ｐｌａｙ）単位の動的データフレーム１４０が提供された後、さらに段階Ｓ４１０に復帰し、静的フレームデータから漫画単位ページを構成して出力した後、待期する。これに対し、利用者はさらに別のフレームをクリックし或いはページを変更することにより、他のアニメーションを具現させることができる。
【００３３】
アニメーションの自動具現
本発明の別の実施例によれば、ユーザが所望のフレームを選択する度にアニメーションが提供されるのではなく、自動的にアニメーションを行うようにすることができる。この場合に対する実施例は、図７のフローチャートで示されている。
【００３４】
図７に示すように、例えばモバイル端末機２に提供された初期画面状態で、利用者がアニメーション自動実行を選択すると、その信号はサーバ１に伝送され、主制御部１０はカウント(F_count, P_count)を初期値として設定する（段階Ｓ５００）。好ましくは、利用者は全ページの一部を自動実行するように選択することができ、前記カウント値はこれによって初期化されることも可能である。
【００３５】
前記カウント値が設定されると、前述したように主制御部１０によって第１ページの静的フレームデータ１３０が抽出され（段階Ｓ５１０）、漫画単位ページ３００を構成した画面データをモバイル端末機２へ伝送する（段階Ｓ５２０）。
【００３６】
次いで、当該漫画単位ページ３００の一番目のフレームに該当する動的フレームデータ１４０が自動的に抽出されると同時に（段階Ｓ５３０）、これに相応する音響データ２００も抽出される（段階Ｓ５４０）。抽出された動的フレームデータ１４０は、前述したように音響効果とともに連続的にモバイル端末機２へ伝送されることにより、アニメーションを具現する（段階Ｓ５５０）。
【００３７】
１フレームのアニメーション遂行が完了すると、サーバ１の主制御部１０は、フレームカウント(F_count)の値を一つ増加させ（段階Ｓ５６０）、次いでフレームカウントが所定のフレーム数より大きいかを判断し、もしそうでなければ、単位ページの全フレームに対するアニメーションが行われていないことを示すので、前記段階Ｓ５１０に復帰し、２番目のフレームに対するアニメーション機能を行う（段階Ｓ５７０）。
【００３８】
上記の過程を繰り返し行って全フレームに対するアニメーションが完了すると、ページカウント(P_count)の値が一つ増加し（段階Ｓ５８０）、次いでページカウントが所定のページ数より大きいかを判断し、もしそうでなければ、全ページに対する視聴が行われていないことを示すので、前記段階Ｓ５１０に復帰し、その次のページに対する漫画アニメーション機能を行う（段階Ｓ５９０）。
前述した過程を繰り返し行って全ページに対する漫画アニメーション機能が完了すると、過程を終了する。
【図面の簡単な説明】
【００３９】
【図１】本発明の好適な実施例に係るモバイル端末機上における漫画アニメーション具現方法を実現するためのシステムの構成を示す図である。
【図２】本発明の好適な実施例に係るモバイル端末機上における漫画アニメーション具現方法を実現するサーバの構成を概略的に示す図である。
【図３】本発明の好適な実施例に係るモバイル端末機上における漫画アニメーションの実行データの構造例を示す図である。
【図４】本発明の好適な実施例に係るモバイル端末機上における漫画アニメーション具現方法において、静的フレームデータによって漫画単位ページが形成される例を示す図である。
【図５】本発明の好適な実施例に係るモバイル端末機上における漫画アニメーション具現方法において、動的フレームデータによってアニメーションが具現される例を示す図である。
【図６】本発明の好適な実施例に係るモバイル端末機上における漫画アニメーション具現方法を示すフローチャートである。
【図７】本発明の別の実施例に係るモバイル端末機上における漫画アニメーション具現方法を示すフローチャートである。
【図１】
2008515045.tif 000003
【図２】
2008515045.tif 000004
【図３】
2008515045.tif 000005
【図４】
2008515045.tif 000006
【図５】
2008515045.tif 000007
【図６】
2008515045.tif 000008
【図７】
2008515045.tif 000009
【国際調査報告】
2008515045.tif 000010
2008515045.tif 000011